(57)【要約】【課題】顕微鏡の操作性、作業性の向上を図ることができるようにする。【解決手段】着脱自在の中間変倍装置３１は、顕微鏡の本体部の内部の接眼光学系と撮像光学系に像を結像させる結像レンズ１０１の手前の光路上であって平行光束となる専用空間に配置され、そのターレット１０７上に設けられた、中間変倍レンズ１０４，１０５，１０６や開口部１０７ａが、ターレット１０７の回転により選択的に光路Ｐ１６上に配置される。選択された中間変倍レンズ１０４は、リレーレンズ１００からの光束を所定の倍率で変倍し、結像レンズ１０１に入射させる。本発明は、例えば、顕微鏡システムに適用できる。【選択図】図５
2010054763.tif 000002
【特許請求の範囲】
【請求項１】
対物レンズと、結像光学系と、前記結像光学系で得られた観察対象物の観察像を観察する接眼光学系と、前記結像光学系を収納する本体部とを有する顕微鏡において、
前記本体部には、中間変倍装置を着脱可能に装着する装着手段を備え、
前記結像光学系における結像位置は、前記中間変倍装置の前記装着手段への装着の有無に関係なく同じ位置となる
ことを特徴とする顕微鏡。
【請求項２】
前記観察像を撮像するための撮像手段と、
前記結像光学系を経た結像光を、前記接眼光学系と、前記撮像手段に結像光を導くための撮像光学系とに分岐する光路分岐手段と
を備え、
前記装着手段に装着される前記中間変倍装置は、前記光路分岐手段の結像光の入射側の光路上に配置される
ことを特徴とする請求項１に記載の顕微鏡。
【請求項３】
前記装着手段に装着された前記中間変倍装置の変倍に関する情報を、前記顕微鏡の制御部に出力するコネクタ部をさらに備える
ことを特徴とする請求項１又は２に記載の顕微鏡。
【請求項４】
前記装着手段に装着された前記中間変倍装置は、各々異なる倍率を有する変倍レンズを装着可能な回転ターレットを備える
ことを特徴とする請求項１乃至３のいずれか一項に記載の顕微鏡。
【請求項５】
前記装着手段に装着された前記中間変倍装置は、ズーム方式により変倍するズーム光学系を備える
ことを特徴とする請求項１乃至３のいずれか一項に記載の顕微鏡。
【請求項６】
前記顕微鏡は、倒立型顕微鏡である
ことを特徴とする請求項１乃至５のいずれか一項に記載の顕微鏡。
【請求項７】
前記本体部には、正面側からみて、一方の側面側に前記観察対象が載置されたステージが固定されるとともに、他方の側面側に、前記接眼光学系を正面側に向けて保持している鏡筒が固定され、前記ステージの下方に、前記対物レンズを装着しているレボルバを収容する収容領域が設けられている
ことを特徴とする請求項６に記載の顕微鏡。
【発明の詳細な説明】
【技術分野】
【０００１】
本発明は、顕微鏡に関する。
【背景技術】
【０００２】
従来、顕微鏡の結像光学系内に配置される中間変倍装置は、顕微鏡本体と鏡筒との間に配置できるように中間鏡筒のような構造となっている。つまり中間鏡筒のような構造ということは、その装置と顕微鏡本体及び鏡筒と接続できるように、丸アリなどのインターフェースを備えており、その挿脱も自由である。
【０００３】
例えば、特許文献１には、結像光学系としてズーム光学系のような変倍可能なものを有する中間鏡筒ユニットを、鏡体と鏡筒との間に着脱可能に装着する技術が開示されている。
【特許文献１】特許２００２−３０３７９５号公報
【発明の開示】
【発明が解決しようとする課題】
【０００４】
しかしながら、上述した特許文献１を含む従来の顕微鏡の構造では、中間変倍装置を顕微鏡本体と鏡筒との間に挿入すると、当然のことながら、鏡筒が中間変倍装置の厚みの分だけ上方に配置されることになるので、アイポイントが高くなり観察に支障をきたしていた。
【０００５】
本発明はこのような状況に鑑みてなされたものであり、中間変倍装置を着脱可能に装着する顕微鏡の操作性、作業性の向上を図ることができるようにするものである。
【課題を解決するための手段】
【０００６】
本発明の顕微鏡は、対物レンズと、結像光学系と、前記結像光学系で得られた観察対象物の観察像を観察する接眼光学系と、前記結像光学系を収納する本体部とを有する顕微鏡において、前記本体部には、中間変倍装置を着脱可能に装着する装着手段を備え、前記結像光学系における結像位置は、前記中間変倍装置の前記装着手段への装着の有無に関係なく同じ位置となることを特徴とする。
【０００７】
前記観察像を撮像するための撮像手段と、前記結像光学系を経た結像光を、前記接眼光学系と、前記撮像手段に結像光を導くための撮像光学系とに分岐する光路分岐手段とを備え、前記装着手段に装着される前記中間変倍装置は、前記光路分岐手段の結像光の入射側の光路上に配置されることを特徴とする。
【０００８】
前記装着手段に装着された前記中間変倍装置の変倍に関する情報を、前記顕微鏡の制御部に出力するコネクタ部をさらに備えることを特徴とする。
【０００９】
前記装着手段に装着された前記中間変倍装置は、各々異なる倍率を有する変倍レンズを装着可能な回転ターレットを備えることを特徴とする。
【００１０】
前記装着手段に装着された前記中間変倍装置は、ズーム方式により変倍するズーム光学系を備えることを特徴とする。
【００１１】
前記顕微鏡は、倒立型顕微鏡であることを特徴とする。
【００１２】
前記本体部には、正面側からみて、一方の側面側に前記観察対象が載置されたステージが固定されるとともに、他方の側面側に、前記接眼光学系を正面側に向けて保持している鏡筒が固定され、前記ステージの下方に、前記対物レンズを装着しているレボルバを収容する収容領域が設けられていることを特徴とする。
【００１３】
本発明の顕微鏡においては、本体部には、中間変倍装置が着脱可能に装着され、中間変倍装置の装着の有無に関係なく、結像光学系における結像位置が同じ位置に導かれる。
【発明の効果】
【００１４】
本発明によれば、観察者の操作性、作業性を向上させることができる。
【発明を実施するための最良の形態】
【００１５】
以下、図面を参照しながら本発明の実施の形態について説明する。
【００１６】
図１乃至図４は、本発明を適用した顕微鏡の一実施の形態の構成を示している。
【００１７】
図１は、本実施の形態の顕微鏡１１の正面図、図２は同上面図、図３は図１を右方向から見たときの側面図、図４は図１を左方向から見た側面図となる。また、図中点線で描画された部材は、本体部２１内に配置された各部材であり、その部材の概略の配置位置を示している。
【００１８】
顕微鏡１１の本体部２１の右上方には、レボルバ２５が回転自在に配置されている。このレボルバ２５には、いくつかの対物レンズが着脱自在とされており、ユーザ、すなわち観察者は必要に応じてレボルバ２５を回転し、装着された対物レンズのうち、所望の１つの対物レンズを予め定められた所定の位置に配置することで、使用する対物レンズを選択することができる。図１及び図３には、対物レンズ２３が１個だけ装着されている状態が示されている。
【００１９】
レボルバ２５の上方であって、本体部２１に対して水平に、観察対象が載置されるステージ１５が配設されている。ステージ１５は、本体部２１の右側に設けられた取り付け座面９１によって固定される。
【００２０】
本体部２１の右側面には焦準ハンドル４１が、左側面には焦準ハンドル４２が、それぞれ回転自在に回転軸（不図示）に取り付けられている。焦準ハンドル４２には、粗動用ノブと微動用ノブとが同軸で取り付けられている。観察者は、焦準ハンドル４２の粗動用ノブを回転調整することで、対物レンズ２３が装着されたレボルバ２５を観察対象に対して粗動で近づけたり、遠ざけたりするので、対物レンズ２３によるフォーカス状態を粗調整することができる。観察者は、焦準ハンドル４１又は焦準ハンドル４２の微動用ノブを回転調整することで、レボルバ２５を観察対象に対して微動で近づけたり、遠ざけたりするので、フォーカスを微調整することができる。
【００２１】
本体部２１の左手前上方には、鏡筒２９が配置されている。鏡筒２９には、接眼レンズ２７が装着されている。観察者は、接眼レンズ２７を介して観察対象の像（観察像）を観察することができる。
【００２２】
撮像装置１６は、鏡筒２９の上端に設けられているカメラポート１８に装着可能とされており、鏡筒２９で結像される観察像を撮像する。
【００２３】
ディスプレイ部１７は、信号ケーブル１９を介して撮像装置１６に接続されており、顕微鏡１１のステージ１５の後方に配設されるとともに、顕微鏡１１の正面からみて、鏡筒２９におけるアイポイントと同程度の高さに配設される。また、ディスプレイ部１７は、アーム部２０により、本体部２１に固定されている。ディスプレイ部１７は、信号ケーブル１９を介して撮像装置１６から伝送される観察像や、図示しないケーブルにより顕微鏡１１から出力される顕微鏡の設定条件や観察条件等の各種の情報を表示したり、観察者が撮像装置１６を操作するためのGUIを表示したりする。例えば、ディスプレイ部１７は、タッチパネルとしての機能を有しており、観察者がディスプレイ部１７に表示されるGUIをタッチすると、信号ケーブル１９を介して、観察者の操作に応じた操作信号を撮像装置１６に送信する。そうすると、撮像装置１６では、その操作信号に応じて設定される撮像条件での観察像が撮像される。
【００２４】
以上より、本実施の形態は、観察対象を拡大して観察する倒立型の顕微鏡１１、観察像を撮像する撮像装置１６、及び、撮像装置１６により撮像された観察像を表示するディスプレイ部１７から構成される顕微鏡システムであると捉えることもできる。
【００２５】
また本体部２１の左手前中程には、図１に示されるように、中間変倍装置３１の形状に対応した専用空間である装着部２１ａが設けられており、この装着部２１ａに中間変倍装置（変倍ユニット）３１が着脱自在に取り付けられる。この中間変倍装置３１には、複数の変倍レンズが図示しないターレット上に配置され、観察者が希望する倍率を光路上に配置できるようになっている。例えば、円形のターレット（後述する図５のターレット１０７）の一部を、本体部２１の外側に突出させることで、その突出部を観察者が動かすことが可能となる。そのようにすると、観察者の操作による突出部の移動量に応じてターレットそのものが回転するので、複数の変倍レンズのうちの所望のレンズを光路上に配置することができる。また、この突出部は、焦準ハンドル４２の上方に位置し、観察者にとっては把握しやすい場所に配置されているため、観察者は、接眼レンズ２７を覗き込みながら、左手で焦準ハンドル４２でフォーカス状態を調整しつつ、さらに、突出部を動かして中間変倍装置３１の倍率を変えるといったことも可能となる。
【００２６】
このように、中間変倍装置３１を装着部２１ａに装着することで、対物レンズを換えることなく、変倍することが可能となり、選択できる倍率の種類が増える。具体的には、ターレットを回転させることで、１ｘ，１．２５ｘ，１．５ｘ，２ｘなどの中間倍率が選択できるようになっている。
【００２７】
さらに、中間変倍装置３１には、現在選択されている倍率が何倍であるかを顕微鏡側に出力するためのコネクタ３１ａが設けられている。このコネクタ３１ａが本体部２１内に設けられた対になるコネクタ２１ｂと接続されることで、顕微鏡１１の制御基板（制御部）に対して、中間変倍装置３１による変倍に関する情報（例えば、中間変倍の倍率情報）を出力することが可能となる。従来、中間鏡筒ユニットが顕微鏡本体に設置されるとき、制御装置であるパーソナルコンピュータ又はコントローラとの接続は、外部に露出した配線により接続されていたが、このような構成では配線がノイズ源となっていた。しかし、本願のように、外部露出した配線ではなく、顕微鏡本体内に設けられた２１ｂ、コネクタ３１ａで中間変倍装置３１が接続されるので、ノイズ発生の問題はない。そして、例えば、この中間変倍の倍率情報を、図示せぬケーブルにてディスプレイ部１７に出力することで、選択されている中間倍率を特定できる情報が、ディスプレイ部１７に表示されることになる。これにより、観察者は現在の中間変倍の倍率情報を知ることが可能となる。
【００２８】
なお、例えば、この中間変倍の倍率情報を、撮像装置１６により撮像された観察像とともにディスプレイ部１７に表示させることで、観察者は、現在観察している観察像がどれくらいの中間変倍により拡大されているかを瞬時に知ることができる。また、レボルバ２５の装着部のそれぞれに装着されている対物レンズの種類（倍率など）を顕微鏡１１の制御基板側で認識できるのであれば、その対物レンズの種類の情報をディスプレイ部１７に表示させてもよい。また、後述するランプハウス４３が有するランプに供給される電圧（照明の強度）などもディスプレイ部１７に表示させることができる。このような情報をディスプレイ部１７に表示させることで、観察者は、モニタ観察において、ディスプレイ部１７をみるだけで、中間変倍などの観察条件を容易に把握することができる。
【００２９】
ここで、中間変倍装置３１は、図１に示されるように、装着部２１ａによって、本体部２１内の専用空間に配置されるように構成されている。中間変倍装置３１を使用しない場合には、その空間には何も配置されず、本体部２１の外面には蓋がされる。この場合、顕微鏡１１では、中間変倍されていない観察像が、観察されることになる。すなわち、上述したように、従来の中間変倍装置は、物理的に顕微鏡本体と鏡筒との間に挿入するものであったから、鏡筒の位置が高くなってしまうという問題を抱えていたが、図１乃至図４に示すような構成にすることで本体部２１内の専用空間に配置されるので、鏡筒位置が高くなるといった不具合は起こらなくなる。
【００３０】
本体部２１の背面の左後方には、すなわち、鏡筒２９の反対側には、落射照明用のランプハウス４３が配置されている。図２に示されるように、ランプハウス４３内には、例えば、照明用の光源としてのフィラメント４７と、コレクタレンズ５７が収容されている。
【００３１】
図５は、顕微鏡１１の本体部２１の内部の光学系の構成について示している。
【００３２】
図５に示されるように、この光学系には、ランプハウス４３内のフィラメント４７による照明光を、観察対象２１０に導光する照明光学系２０１が設けられている。また、この光学系には、照明光により照明された観察対象２１０の像面を、検鏡側、すなわち、接眼レンズ２７（図１等）に導光する結像光学系２０２が設けられている。
【００３３】
照明光学系２０１において、コレクタレンズ５７は、フィラメント４７からの発散光をほぼ平行光に変換する。リレー光学系９２，９３は、フィラメント４７の像である光源像を開口絞り４９ａの位置に形成する。偏向光学素子９４は、この光源像とリレー光学系９３との間に配置され、フィラメント４７からほぼ水平に観察者の方向（図２における縦方向）に向かう光路Ｐ１１の光束を、図５における右方向（図２における横方向）に偏向し、光路Ｐ１２の光束とする。
【００３４】
開口絞りユニット４９（図１）の開口絞り４９ａは、光路Ｐ１２内の、コレクタレンズ５７及びリレー光学系９２，９３によるフィラメント４７の像が形成される位置に配置される。視野絞りユニット５１（図１）の視野絞り５１ａは、光路Ｐ１２内の開口絞り４９ａの近傍に配置される。フィールドレンズ群９５は、視野絞り５１ａの像を観察対象２１０の観察面上に投影するために、光路Ｐ１２内の、その前側焦点面が視野絞り５１ａに重なるように配置される。
【００３５】
光束分割部材としてのハーフミラー６５は、光路Ｐ１２の光束、すなわち、フィールドレンズ群９５からの照明用の光束を、垂直上方向（図１における上方向）に偏向する。垂直上方向に偏向された光束は、対物レンズ２３に向かう光路Ｐ１３を伝播する。これにより、照明用の光路Ｐ１３の光軸が対物レンズ２３による結像用の光路Ｐ１４の光軸と一致される。光路Ｐ１３に偏向された光束は、対物レンズ２３の瞳の位置でフィラメント４７の像を結び、対物レンズ２３により略平行光となって、例えば金属などよりなる観察対象２１０を照明する。
【００３６】
結像光学系２０２において、観察対象２１０で反射された反射光としての光束は、対物レンズ２３により集光され、観察対象２１０の各点で反射された光束がそれぞれ平行光束となって、垂直下方向を指向する対物レンズ２３の直近の光路Ｐ１３の光束となる。この光束は、ハーフミラー６５を透過することで照明用の光束と分離される。すなわち、ハーフミラー６５と対物レンズ２３は、照明光学系２０１と結像光学系２０２の両方の機能を有しており、光路Ｐ１３は照明光学系２０１と結像光学系２０２の共通光路となる。換言すると、対物レンズ２３は、照明光学系２０１の一部であり、観察対象２１０の下側に配置されている。
【００３７】
偏向光学素子９７は、観察対象２１０を載置するステージ１５（図１等）に対してほぼ垂直な光路Ｐ１３及び光路Ｐ１４を伝播した光束を、図１と図５における左方向（図２における横方向）に偏向する。そして、左方向に偏向された光束は、光路Ｐ１５を伝播する。光路Ｐ１５は、接眼レンズ２７（図１等）がある接眼光学系及び撮像装置１６（図１等）がある撮像光学系の配置されている方向に、光路Ｐ１５中を伝播する光束が近づくように設定されている。また、光路Ｐ１５内で観察対象２１０の中間像２１０Ｉが形成されるように第２対物レンズ９６が構成されており、この光路Ｐ１５中で、観察対象２１０と一緒に見たいスケールなどが記された焦点板１０３が着脱できるようにしている。すなわち、顕微鏡１１は、光路Ｐ１５中の観察対象２１０の中間像２１０Ｉが形成される位置に焦点板１０３を配置可能とする構成を有している。
【００３８】
光路Ｐ１５の光束は、リレーレンズ９８を介して偏向光学素子９９に入射され、偏向光学素子９９により垂直上方向（図１における上方向）に偏向される。そして、このようにして偏向された光束は、光路Ｐ１６を伝播する。すなわち、光路Ｐ１６は、図１と図５に示されるように、光路Ｐ１３及び光路Ｐ１４に対してほぼ平行に、かつ顕微鏡１１を正面からみて左側に形成されている。
【００３９】
リレーレンズ９８とリレーレンズ１００は、接眼光学系及び撮像光学系へ１次像を導くために結像光をリレーする。偏向光学素子９９からの光束は、光路Ｐ１５内に配置されたリレーレンズ９８とともに、リレー光学系を構成する光路Ｐ１６内に配置されたリレーレンズ１００を透過し、光路Ｐ１６内の結像レンズ１０１に入射する。
【００４０】
ここで、光路Ｐ１６内のリレーレンズ１００と結像レンズ１０１との間は、平行光束となっている。そして、着脱自在の中間変倍装置３１が装着部２１ａに装着された場合には、図５に示されるように、この結像レンズ１０１の手前（図１と図５における下方向、観察光が入射する側）の光路上に配置されることになる。従って、結像光学系における結像位置は、中間変倍装置の装着手段への装着の有無に関係なく、同じ位置となる。中間変倍装置３１には、中間変倍レンズ１０４，１０５，１０６などの異なる倍率を有する複数の変倍レンズが例えばターレット１０７上に配置されている。ターレット１０７は、中間変倍装置３１の中で回転可能に構成されている。図５の例では、ターレット１０７上の中間変倍レンズ１０４が、光路Ｐ１６上に配置されており、中間変倍レンズ１０４は、リレーレンズ１００からの光束を所定の倍率で変倍する。変倍された光束は、結像レンズ１０１に入射される。
【００４１】
ターレット１０７上には、中間変倍レンズ１０４の他に、中間変倍レンズ１０５，１０６が挿脱自在に配置され、さらに、倍率の変更を行わない開口部１０７ａが設けられている。中間変倍装置３１においては、ターレット１０７を回転させることで、中間変倍レンズ１０４，１０５，１０６，開口部１０７ａが選択的に光路Ｐ１６上に配置される。これにより、観察者は中間像２１０Ｉに任意の倍率をかけることが可能となっている。
【００４２】
なお、中間変倍装置３１は、平行光束となる光路Ｐ１６上のリレーレンズ１００と結像レンズ１０１との間（平行系部）に、選択された変倍レンズがくるように配置するのが好適であるが、例えば、光路Ｐ１５上の、焦点板１０３とリレーレンズ９８との間、又はリレーレンズ９８と偏向光学素子９９との間などに配置することも可能であり、その場合には、それらの位置に中間変倍装置３１を装着可能となる専用空間と装着部を設ければよい。
【００４３】
そして、結像レンズ１０１により射出された光束は、ハーフミラー１０２に入射する。ハーフミラー１０２に入射した光束は、その光束の一部がハーフミラー１０２の反射面を通過し、それ以外の光束はハーフミラー１０２の反射面において反射する。ハーフミラー１０２で反射した光束は、観察者の目２２２の方向（図２における縦方向）に偏向され、接眼光学系によって光路Ｐ１７を伝播する。すなわち、光路Ｐ１７は、図２における横方向に形成されている光路Ｐ１５に対して、ほぼ直交するように設定されている。光路Ｐ１７を伝播した光束は、図示せぬ光線分割光学素子等の接眼光学系により２つの光路に分割され、接眼レンズ２７（図１等）に入射される。従って、観察者はその目２２２により接眼レンズ２７を介して観察対象２１０の拡大された像を観察することができる。
【００４４】
一方、ハーフミラー１０２を通過した光束は、撮像装置１６に光束を導く図示せぬ撮像光学系によって光路Ｐ１８上を伝播し、撮像装置１６のCCD（Charge Coupled Device）センサ１１１に入射し、そのCCDセンサ１１１の受光面で受光される。撮像装置１６においては、CCDセンサ１１１により撮像される画像データに対し、例えばノイズ成分を除去する処理などの所定の画像処理が施される。その後、画像処理が施された画像データは、信号ケーブル１９を介してディスプレイ部１７に出力され、表示される。
【００４５】
このように、着脱自在の中間変倍装置３１は、顕微鏡１１の本体部２１の内部の結像レンズ１０１の手前の光路上であって平行光束となっている位置であり、光路分岐手段であるハーフミラー１０２の結像光の入射側の光路上に配置されるため、接眼光学系と撮像光学系の両方に選択された変倍レンズによって任意の倍率をかけられた中間像２１０Ｉを結像させることが可能となる。
【００４６】
また、顕微鏡１１では、光路Ｐ１５と光路Ｐ１７とが、上方から見たとき、互いにほぼ直交するように、各光路が設定されている。これにより、観察者の目に対して右側に、ディスプレイ部１７、対物レンズ２３、レボルバ２５、観察対象２１０などが位置するようになる。よって倒立顕微鏡１１を使用する観察者は、上体を動かしたりすることなく、各部材の操作が可能となり、また直接目視による確認が可能となる。
【００４７】
なお、本実施の形態では、中間変倍装置３１を、本体部２１の専用空間に配置するような構成としたが、この中間変倍装置３１の代わりに、ズーム変倍装置（図示せず）を用いても同様の効果が得られる。その場合、ターレットを回転させて変倍レンズを選択して倍率を変える代わりに、ズーム変倍装置に設けられたズームレンズの倍率を変えることで、中間像２０１Ｉに任意の倍率をかかることが可能となる。また、上記の中間変倍装置やズーム変倍装置以外の他の変倍装置を用いることも勿論可能である。
【００４８】
なお、各種偏向光学素子は、ミラーで構成されているように図５では図示されているが、ミラーで構成する必要は特にない。例えば、偏向光学素子９９は、その他、俯視プリズムやダハプリズム等で構成してもよい。
【００４９】
以上のように、本発明によれば、顕微鏡に中間変倍装置を追加してもアイポイントや操作系ハンドル位置などの位置が変わらず、観察者の操作性、作業性が従来と比較して向上する。すなわち、本発明の構成を取ることで、中間変倍装置をオプションとして追加する場合であっても、鏡筒などの位置が高くならず、アイポイントの位置も変わらないし、各種操作部の位置も変わらないので、操作性に優れた顕微鏡を提供することができる。また、オプションで取り付けられる中間変倍装置と顕微鏡とがコネクタにより電気的にも接続されるので、中間変倍装置から顕微鏡に対し様々な情報を出力することが可能となる。
【００５０】
また、中間変倍装置を設置する専用の空間が始めから準備され、それが本体部内に収納されているので、デザイン的にも美しく構成することができる。さらに電気的接続も本体部内に配置できるので、ケーブル類が顕微鏡の外に見えることもなく、その点からも外観を美しくできるし、さらに、外部からのノイズの影響を低減することも可能となる。
【００５１】
なお、本明細書において、システムとは、複数の装置により構成される装置全体を表すものである。
【００５２】
また、本発明の実施の形態は、上述した実施の形態に限定されるものではなく、本発明の要旨を逸脱しない範囲において種々の変更が可能である。
【図面の簡単な説明】
【００５３】
【図１】本発明の顕微鏡の一実施の形態の構成を示す正面図である。
【図２】本発明の顕微鏡の一実施の形態の構成を示す上面図である。
【図３】本発明の顕微鏡の一実施の形態の構成を示す右側面図である。
【図４】本発明の顕微鏡の一実施の形態の構成を示す左側面図である。
【図５】本発明の顕微鏡の一実施の形態の光学系の構成を示す斜視図である。
【符号の説明】
【００５４】
１１  顕微鏡，  １６  撮像装置，  １７  ディスプレイ部，  ２１  本体部，  ２１ａ  装着部，  ２１ｂ  コネクタ，  ２３  対物レンズ，  ２７  接眼レンズ，  ２９  鏡筒，  ３１  中間変倍装置，  ３１ａ  コネクタ，  １００  リレーレンズ，  １０１  結像レンズ，  １０４，１０５，１０６  中間変倍レンズ，  １０７  ターレット，  １０７ａ  開口部，  ６５，１０２  ハーフミラー，  ９４，９７，９９  偏向光学素子，  １０３  焦点板，  １１１  CCDセンサ，  ２０１  照明光学系，  ２０２  結像光学系，  Ｐ１１乃至Ｐ１８  光路
【図１】
2010054763.tif 000003
【図２】
2010054763.tif 000004
【図３】
2010054763.tif 000005
【図４】
2010054763.tif 000006
【図５】
2010054763.tif 000007